(57)【要約】      （修正有）【課題】従来の検査方法では、データの記録後、該データを読み出し、検査を行っているため、記録時の転送速度が半分以下となってしまうという問題があった。記録時の転送速度の低下を抑制可能なライトミス検知装置を提供する。【解決手段】パターンドメディアに対する書き込みタイミングを示すライトクロック信号と前記ライトクロック信号を生成するために用いられ、前記パターンドメディア上に設けられた同期マークに基づく同期マーク信号とを比較して位相差を出力する比較手段と、前記位相差が所定の値以上のときライトミスと判定する判定手段と、を備える。【選択図】図５
2010218650.tif 000002
【特許請求の範囲】
【請求項１】
パターンドメディアに対する書き込みタイミングを示すライトクロック信号と前記ライトクロック信号を生成するために用いられ、前記パターンドメディア上に設けられた同期マークに基づく同期マーク信号とを比較して位相差を出力する比較手段と、
前記位相差が所定の値以上のときライトミスと判定する判定手段と、
を備えるライトミス検知装置。
【請求項２】
所定の間隔ごとにライトクロック信号を生成するために用いられる同期マークが設けられたパターンドメディアと、
前記パターンドメディアに対する書き込みタイミングを示す前記ライトクロック信号を生成するライトクロック生成手段と、
前記同期マークに基づく同期マーク信号を出力するマーク検出手段と、
前記パターンドメディアに対するライトミスを検出するライトミス検知手段と、
を備え、
前記ライトミス検知手段は、
ライトクロック信号と同期マーク信号を比較して位相差を出力する比較手段と、
前記位相差が所定の値以上のときライトミスと判定する判定手段と、
を備えることを特徴とする磁気ディスク装置。
【請求項３】
前記ライトミス検知手段がライトミスを検出したときに、再度データの書き込みを行う制御手段をさらに備えることを特徴とする請求項２記載の磁気ディスク装置。
【請求項４】
前記制御手段は、前記ライトミス検知手段がライトミスを検出し、同一記録領域に対するデータの再書き込みを行った回数が所定値以上のときに交代処理を行うことを特徴とする請求項３記載の磁気ディスク装置。
【請求項５】
パターンドメディアに対する書き込みタイミングを示すライトクロック信号と前記パターンドメディア上に設けられたライトミス検知用パターンをリードしたときの再生信号とに基づきライトミス検知用パターン信号を出力するパターン検出手段と、
前記ライトミス検知用パターン信号と適切なライトクロック信号で前記ライトミス検知用パターンとリードしたときに得られるべき所定のパターン信号とを比較し、一致しなかったときにライトミスと判定する判定手段と、
を備えるライトミス検知装置。
【請求項６】
ライトミス検知用パターンが設けられたパターンドメディアと、
前記パターンドメディアに対する書き込みタイミング信号を示すライトクロック信号を生成するライトクロック生成手段と、
前記パターンドメディアに対するライトミスを検出するライトミス検知手段と、
を備え、
前記ライトミス検知手段は、
前記パターンドメディアに対する書き込みタイミングを示すライトクロック信号と前記ライトミス検知用パターンをリードしたときの再生信号とに基づきライトミス検知用パターン信号を出力するパターン検出手段と、
前記ライトミス検知用パターン信号と適切なライトクロック信号で前記ライトミス検知用パターンとリードしたときに得られるべき所定のパターン信号とを比較し、一致しなかったときにライトミスと判定する判定手段と、
を備えることを特徴とする磁気ディスク装置。
【請求項７】
前記ライトミス検知手段がライトミスを検出したときに、再度データの書き込みを行う制御手段をさらに備えることを特徴とする請求項６記載の磁気ディスク装置。
【請求項８】
前記制御手段は、前記ライトミス検知手段がライトミスと検出し、同一記録領域に対する再書き込みを行った回数が所定値以上のときに交代処理を行うことを特徴とする請求項７記載の磁気ディスク装置。
【発明の詳細な説明】
【技術分野】
【０００１】
本発明は、パターンドメディアに対するライトミスを検知する装置および磁気ディスク装置に関する。
【背景技術】
【０００２】
近年、磁気ディスクの高密度化技術として、パターンドメディアが注目されている。パターンドメディアには、図１に示すように、互いに孤立した記録再生のための島状の磁化領域（以下、ランドという）が非磁化領域を介して複数形成されている。
【０００３】
このようなパターンドメディアにデータを記録する際には、形成されたランド上にヘッドの位置がくるタイミングで、磁界を発生させてデータを記録する。このため、磁化領域上にヘッドの位置がくるタイミングと同期するクロック（ライトクロック）を生成する必要がある。ランド上にヘッドがくるタイミングとライトクロックとの同期ずれが起きると、データを正確に記録することが出来ない。
【０００４】
また、記録精度を向上させるためには、パターンドメディアに正確にデータが記録されているかを検査することが有効である。
データが正しく記録されているか検査する検査方法としてライトベリファイがある。
【０００５】
図２は、ライトベリファイのフローチャートである。
ライトベリファイは、データを記録し（ステップＳ２０１）、データの記録完了後に該データを再生して（ステップＳ２０２）、該データが正確に記録されているかを検査する（ステップＳ２０３）。そして、エラーがあった場合には、再びデータの記録を行う。
【０００６】
また、孤立ビットに正確にデータ書き込みを行うために、書き込みタイミング用の同期領域を備えた磁気記録媒体も知られている（例えば、特許文献１参照）。
【先行技術文献】
【特許文献】
【０００７】
【特許文献１】特開２００３−１５７５０７号公報
【発明の概要】
【発明が解決しようとする課題】
【０００８】
しかしながら、従来の検査方法では、データの記録後、該データを読み出し、検査を行っているため、記録時の転送速度が半分以下となってしまうという問題があった。
本発明の課題は、記録時の転送速度の低下を抑制可能なライトミス検知装置を提供することである。
【課題を解決するための手段】
【０００９】
開示のライトミス検知装置は、パターンドメディアに対する書き込みタイミングを示すライトクロック信号と前記ライトクロック信号を生成するために用いられ、前記パターンドメディア上に設けられた同期マークに基づく同期マーク信号とを比較して位相差を出力する比較手段と、前記位相差が所定の値以上のときライトミスと判定する判定手段と、を備える。
【００１０】
開示の磁気ディスク装置は、所定の間隔ごとにライトクロック信号を生成するために用いられる同期マークが設けられたパターンドメディアと、前記パターンドメディアに対する書き込みタイミングを示す前記ライトクロック信号を生成するライトクロック生成手段と、前記同期マークに基づく同期マーク信号を出力するマーク検出手段と、前記パターンドメディアに対するライトミスを検出するライトミス検知手段と、を備える。
【００１１】
前記ライトミス検知手段は、ライトクロック信号と同期マーク信号を比較して位相差を出力する比較手段と、前記位相差が所定の値以上のときライトミスと判定する判定手段と、を備える。
【００１２】
開示のライトミス検知装置は、パターンドメディアに対する書き込みタイミングを示すライトクロック信号と前記パターンドメディア上に設けられたライトミス検知用パターンをリードしたときの再生信号とに基づきライトミス検知用パターン信号を出力するパターン検出手段と、前記ライトミス検知用パターン信号と適切なライトクロック信号で前記ライトミス検知用パターンとリードしたときに得られるべき所定のパターン信号とを比較し、一致しなかったときにライトミスと判定する判定手段と、を備える。
【００１３】
開示の磁気ディスク装置は、ライトミス検知用パターンが設けられたパターンドメディアと、前記パターンドメディアに対する書き込みタイミング信号を示すライトクロック信号を生成するライトクロック生成手段と、前記パターンドメディアに対するライトミスを検出するライトミス検知手段と、を備える。
【００１４】
前記ライトミス検知手段は、前記パターンドメディアに対する書き込みタイミングを示すライトクロック信号と前記ライトミス検知用パターンをリードしたときの再生信号とに基づきライトミス検知用パターン信号を出力するパターン検出手段と、前記ライトミス検知用パターン信号と適切なライトクロック信号で前記ライトミス検知用パターンとリードしたときに得られるべき所定のパターン信号とを比較し、一致しなかったときにライトミスと判定する判定手段と、を備える。
【発明の効果】
【００１５】
開示の装置によれば、データの記録中にライトミスを検知できるので、記録後の再生および検査が不要となり、記録時の転送速度の低下を抑制できる。
【図面の簡単な説明】
【００１６】
【図１】パターンドメディアを示す図である。
【図２】ライトベリファイのフローチャートである。
【図３】実施の形態に係る磁気ディスク装置の構成図である。
【図４】第１の実施の形態に係るライトミス検知方法の概要を示す図である。
【図５】第１の実施の形態に係るライトミス検知器の構成図である。
【図６】第１の実施の形態に係るライトクロック生成器の構成図である。
【図７】第１の実施の形態に係るライトミス検知方法のフローチャートである。
【図８】第２の実施の形態に係るパターンドメディアの構成図である。
【図９】第２の実施の形態に係るライトミス検知方法の概要を示す図である。
【図１０】第２の実施の形態に係るライトミス検知器の構成図である。
【図１１】第２の実施の形態に係るライトミス検知方法のフローチャートである。
【発明を実施するための形態】
【００１７】
以下、図面を参照しながら本発明の実施の形態を説明する。
図３は、実施の形態に係る磁気ディスク装置の構成図である。
磁気ディスク装置３０１は、ディスク３０２、スピンドルモータ３０３、ヘッド３０４、アーム３０５、ヘッドアンプ３０６、リードチャネル３０７、コントローラ３０８、ＲＡＭ（Random Access Memory）３０９、ＣＰＵ（Central Processing Unit）３１０、ＶＣＭ（Voice Coil Motor）３１１、およびＶＣＭドライバ３１２を備える。  
【００１８】
ディスク３０２は、いわゆるパターンドメディアであり、非磁化領域中にデータ書き込み領域である磁化領域（ランド）が孤立して島状に配置されている記録媒体である。ディスク３０２は、スピンドルモータ３０３により回転する。
【００１９】
ヘッド３０４は、アーム３０５の先端に設置され、読み書き時にディスク３０２上で浮上し、ディスク３０２上のデータの読み書きを行う。
ヘッドアンプ３０６は、ヘッド３０４から読み出された信号や書き込み信号の電流を増幅する。
【００２０】
リードチャネル３０７は、ディスク３０２からリードされたデータの復調、ディスク３０２にライトするデータの変調、およびディスク３０２のサーボ信号から位置情報の取り出し等を行う。リードチャネル３０７はヘッドアンプ３０６とコントローラ３０８に接続されている。また、後述するライトミス検知器は、リードチャネル３０７内に設けられる。
【００２１】
コントローラ３０８は、例えばハードディスクコントローラであり、磁気ディスクの搭載されるホストコンピュータ３２０に接続されている。
ＲＡＭ３０９は、ディスク３０２に書き込むデータまたはディスク３０２から読み出したデータを一時的に格納しておくための記憶手段である。
【００２２】
ＣＰＵ３１０は、磁気ディスク装置全体を制御し、例えば、ヘッド３０４の位置決め制御やインターフェース制御を行う。
ＶＣＭ３１１は、アーム３０５をディスク３０２の径方向に移動させる。ＶＣＭ３１１は、コントローラ３０８によって制御される。    
ＶＣＭドライバ３１２は、ＶＣＭ１１を駆動し、コントローラ３０８により制御される。
【００２３】
上記磁気ディスク装置の構成は、以下の各実施の形態において適用することが出来る。
（第１の実施の形態）
図４は、第１の実施の形態のライトミス検知方法の概要を示す図である。
図４の最上部は、パターンドメディアのディスクパターンを示す。パターンドメディアには、所定の間隔ごとに同期マークとデータブロック（データ記録領域）が配置されている。
【００２４】
ディスクパターンの下には、該ディスクパターンに対応する同期マーク信号およびライトクロック信号を示す。
同期マーク信号は、同期マークを読み出したときにＨとなる。
【００２５】
図４の下部には、ディスクパターン、同期マーク信号、ライトクロック信号の一部を拡大した図を示す。ライトクロック信号は、正常時と異常時の２つの場合を示す。
第１の実施の形態のライトミス検知方法では、同期マーク信号とライトクロック信号との位相差を求め、位相差が所定の値以上のときは、ライトミスがあったと判定する。
【００２６】
図４の下部に示すように、正常時のライトクロック信号と同期マーク信号との位相差は小さく、異常時のライトクロック信号と同期マーク信号との位相差は大きくなる。同期マーク信号とライトクロック信号との位相差が大きい場合、データブロック（データ記録領域）に対する書き込みタイミングがずれ、正確に記録することが出来なかったと推測される。したがって、同期マーク信号とライトクロック信号との位相差が大きい場合、ライトミスがあったと判定する。すなわち、ライトクロック信号がヘッドがランド上に来るタイミングとずれており、同期マーク直前にあるデータ記録領域に対するデータ記録が正常に行われなかったと判定する。
【００２７】
図５は、第１の実施の形態に係るライトミス検知器の構成図である。
ライトミス検知器５０１は、位相比較器５０２、判定器５０３、およびＲＡＭ５０４を備える。
【００２８】
ライトミス検知器５０１は、リードチャネル３０７内に設けられている。
リードチャネル３０７は、ライトミス検知器５０１、マーク検出器５０５、およびライトクロック生成器５０６を備える。なお、リードチャネル３０７は、データの復調および変調やディスクの位置情報を取り出す回路等を有するが、図５ではこれらの記載は省略する。
【００２９】
マーク検出器５０５は、入力された再生信号からパターンドメディア上に設けられた同期マークを検出し、同期マーク信号を出力する。同期マーク信号は、ライトクロック生成器５０６および位相比較器５０２に出力される。
【００３０】
ライトクロック生成器５０６は、同期マーク信号に基づいて、ライトクロック信号を生成する。ライトクロック信号は、コントローラ３０８および位相比較器５０２に出力される。
【００３１】
ライトミス検知器５０１は、同期マーク信号とライトクロック信号との位相差に基づき、ライトミスを判定する。判定結果は、コントローラ３０８に出力される。
位相比較器５０２は、同期マーク信号とライトクロック信号とを位相差を計測し、判定器５０３に出力する。
【００３２】
判定器５０３は、位相差が所定値以上かどうか判定し、所定の値以上のときはライトミスと判定し、所定の値未満のときはエラーなしと判定する。
ＲＡＭ５０４には、ライトミス判定の基準となる所定値が格納されており、該所定値は判定器５０３における判定時に、必要に応じて読み出される。
【００３３】
図６は、第１の実施の形態に係るライトクロック生成器の構成図である。
ライトクロック生成器５０６は、位相比較器６０１、ループフィルタ６０２、ＶＣＯ（voltage controlled oscillator）６０３、および分周器６０４を備える。
【００３４】
位相比較器６０１は、同期マーク信号と分周器６０４から出力される信号との位相差を算出し、該位相差をループフィルタ６０２に出力する。
ループフィルタ６０２は、ローパスフィルタであり、高い周波数成分は抑制し、低い周波数成分の電気信号を取り出して、ＶＣＯ６０３に出力する。
【００３５】
ＶＣＯ６０３は、入力された電圧に対応して出力される電圧の周波数を制御する。具体的には、ＶＣＯ６０３は、ループフィルタ６０２から電圧を受信し、受信した電圧で周波数を制御してライトクロック信号を生成し、ライトクロック信号を分周器６０４およびコントローラ３０８に出力する。
【００３６】
図７は、第１の実施の形態に係るライトミス検知方法のフローチャートである。
第１の実施の形態において、データは、同期マークで分割された複数のデータ記録領域（データブロック）に分割されて書き込まれるものとする。すなわち、あるデータ領域には、書き込むべき全データの一部のデータが書き込まれるものとする。また、コントローラ３０８は、あるデータ記録領域に対する書き込みが、全データの内の途中の書き込みか、全データの内の最後の書き込みであるか判定可能である。
【００３７】
ステップＳ７０１において、コントローラ３０８は、前回のライトミス検知に使用した同期マークと次の同期マークとの間のデータ記録領域にデータを記録する。該データ記録領域に記録終了後は、ライト動作を停止してリード動作を行う。
【００３８】
ステップＳ７０２において、マーク検出器５０５は、再生信号に同期マークを検出した時点で、同期マーク信号をＨにして、位相比較器５０２に出力する。位相比較器５０２は、入力された同期マーク信号とライトクロック信号との位相差を測定し、判定器５０３に出力する。尚、ライトクロック生成器において、同期マーク信号によりライトクロック信号の補正が行われるが、同期マークの検出に対して補正されたライトクロック信号が出力されるまでには時間差がある。したがって、位相比較器５０２において、位相差を計測するときのライトクロック信号は、今回の同期マーク信号により補正される前のライトクロック信号となる。
【００３９】
ステップＳ７０３において、判定器５０３は、位相差が所定値以上かどうか判定する。尚、所定値はＲＡＭ５０４に格納されており、必要に応じて判定器５０３は所定値を読み出して使用する。
【００４０】
位相差が所定値以上の場合は、ライトミスと判定し、判定結果をコントローラ３０８に出力する。位相差が所定値未満の場合は、エラーなしと判定し、判定結果をコントローラ３０８に出力する。
【００４１】
コントローラ３０８は、記録終了（すなわち、全データの書き込みの内の最後の書き込み）かつ判定結果がエラーなし（すなわち、位相差＜所定値）の場合、処理を終了する。
コントローラ３０８は、記録途中（すわわち、全データの書き込みの内の途中の書き込み）かつ判定結果がエラーなしの場合、ステップＳ７０１に制御は進み、次のデータ記録領域に対するデータの書き込みを開始する。
コントローラ３０８は、記録途中かつ判定結果がライトミス（すなわち、位相差≧所定値）の場合、ステップＳ７０４に制御は進む。
【００４２】
ステップＳ７０４において、コントローラ３０８は、データの記録を一旦中止し、今回記録したデータ記録領域に対する今までの再記録動作回数が所定値より多いかどうか判定する。再記録動作回数が所定値未満の場合は、制御はステップＳ７０５に進み、再記録動作回数が所定値以上の場合は、制御はステップＳ７０６に進む。
【００４３】
ステップＳ７０５において、コントローラ３０８は、ライトミス判定の対象となったデータ記録領域（前回の同期マークと今回の同期マークとの間のデータ記録領域）にデータを再度書き込む。また、再記録を行った回数をカウントする。再記録の場合には、同期マークにより補正されたライトクロック信号を用いて、記録が行われる。
【００４４】
ステップＳ７０６において、コントローラ３０８は、交代処理を行う。交代処理とは、今回記録したデータ記録領域を使用しないようにして、他のデータ記録領域（例えば、予備領域）に記録すべきであったデータの書き込みを行うことである。
【００４５】
第１の実施の形態のライトミス検知方法によれば、記録動作中にライトミスを検知できるので、記録後の再生および検査が不要となり、記録時の転送速度の低下を抑制できる。
【００４６】
（第２の実施の形態）
図８は、第２の実施の形態に係るパターンドメディアの構成図である。
【００４７】
第２の実施の形態において、パターンドメディアには、データ記録領域８０１の後に、ライトミスを検知するためのライトミス検知用パターン８０２を配置する。ライトミス検知用パターン８０２は、任意のパターンを用いることができる。ただし、後述のパターン検出器においては、データ記録領域かライトミス検知パターン８０２であるかを判別できるものとする。
また、第１の実施の形態と同様の同期マーク信号が配置されているものとする。
【００４８】
図９は、第２の実施の形態に係るライトミス検知方法の概要を示す図である。
図９の最上部は、パターンドメディアのディスクパターンを示す。パターンドメディアには、データブロック（データ記録領域）と、データブロックの最後またはデータブロックの途中に所定の間隔ごとにライトミス検知用パターンが配置されている。
【００４９】
ディスクパターンの下には、該ディスクパターンに対応するライトクロック信号および検知用パターン信号を示す。
検知用パターン信号は、検知用パターンを読み出したときにＨとなる。
【００５０】
図９の下部には、ディスクパターン、ライトクロック信号、検知用パターン信号の一部を拡大した図を示す。ライトクロック信号および検知用パターン信号は、正常時と異常時の２つの場合を示す。
【００５１】
第２の実施の形態のライトミス検知方法では、得られた検知用パターン信号と所定のパターンとを比較し、異なっていた場合ライトミスがあったと判定する。所定のパターンは、ライトミス検知用パターンに対応するパターンであり、ライトクロックが正確な場合に、ライトミス検知用パターンをリードしたときに得られるパターンである。
【００５２】
図９の下部に示すように、ライトクロック信号が正常の場合、検知用パターン信号は、ライトミス検知用パターンと対応する。しかし、クロック信号が異常な場合、検知用パターン信号は、ライトミス検知用パターンと対応しない。検知用パターン信号が所定のパターンと異なっていた場合、データブロック（データ記録領域）に対する書き込みタイミングがずれ、正確に記録することが出来なかったと推測される。したがって、検知用パターン信号が所定のパターンと異なっていた場合、ライトミスがあったと判定する。すなわち、ライトクロック信号がヘッドがランド上に来るタイミングとずれており、ライトミス検知用パターン直前にあるデータ記録領域に対するデータ記録が正常に行われなかったと判定する。
【００５３】
図１０は、第２の実施の形態に係るライトミス検知器の構成図である。
ライトミス検知器１００１は、パターン検出器１００２、判定器１００３、およびＲＡＭ１００４を備える。
【００５４】
ライトミス検知器１００１は、リードチャネル３０７内に設けられている。
リードチャネル３０７は、ライトミス検知器１００１、マーク検出器１００５、およびライトクロック生成器１００６を備える。なお、リードチャネル３０７は、データの復調および変調やディスクの位置情報を取り出す回路等を有するが、図１０ではこれらの記載は省略する。
【００５５】
マーク検出器１００５は、入力された再生信号からパターンドメディア上に設けられた同期マークを検出し、同期マーク信号を出力する。同期マーク信号は、ライトクロック生成器１００６に出力される。
【００５６】
ライトクロック生成器１００６は、同期マーク信号に基づいて、ライトクロック信号を生成する。ライトクロック信号は、コントローラ３０８およびパターン検出器１００２に出力される。
【００５７】
ライトミス検知器１００１は、検知用パターン信号に基づき、ライトミスを判定する。判定結果は、コントローラ３０８に出力される。
パターン検出器１００２には、再生信号とライトクロック信号が入力される。パターン検出器１００２は、ライトミス検知用パターンを読み出したときの再生信号をライトクロック信号の立ち上がりでサンプリングして、２値の検知用パターン信号を生成し、判定器１００３に出力する。尚、パターン検出器１００２は、再生信号がデータ領域を読み出したときの信号かライトミス検知用パターンを読み出したときの信号か判断することでき、ライトミス検知用パターンを読み出したときの信号が入力されたときに、検知用パターン信号を生成する。
【００５８】
判定器１００３は、検知用パターン信号が所定のパターンと同一であるか判定し、同一のときはエラーなしと判定し、同一でないときはライトミスと判定する。
ＲＡＭ１００４には、ライトミス判定の基準となる所定のパターンが格納されており、判定器１００３における判定時に、必要に応じて読み出される。
【００５９】
図１１は、第２の実施の形態に係るライトミス検知のフローチャートである。
第２の実施の形態において、データは、ライトミス検知用パターンで分割された複数のデータ記録領域に分割されて書き込まれるものとする。すなわち、あるデータ記録領域には、書き込むべき全データの一部のデータが書き込まれるものとする。また、コントローラ３０８は、あるデータ記録領域に対する書き込みが、全データの内の途中の書き込みか、全データの内の最後の書き込みであるか判定可能である。
【００６０】
ステップＳ１１０１において、コントローラ３０８は、前回のライトミス検知に使用したライトミス検知用パターンとライトミス検知用パターンとの間のデータ記録領域にデータを記録する。該データ記録領域に記録終了後は、ライト動作を停止してリード動作を行う。
【００６１】
ステップＳ１１０２においてパターン検出器１００２は、再生信号およびライトクロック信号から検知用パターン信号を生成し、判定器１００３に出力する。
ステップＳ１１０３において、得られたパターンが所定のパターンと一致するか判定する。一致した場合は、エラーなし（パターン判定ＯＫ）と判定し、判定結果をコントローラ３０８に出力し、一致しなかった場合は、ライトミス（パターン判定エラー）と判定し、判定結果をコントローラ３０８に出力する。
【００６２】
所定のパターンは、ライトミス検知用パターンに対応したパターンである。すなわち、ライトクロックが正常な場合にライトミス検知用パターンをリードしたときに得られるべきパターンである。
【００６３】
コントローラ３０８は、記録終了（すなわち、全データの書き込みの内の最後の書き込み）かつ判定結果がエラーなしの場合、処理を終了する。
コントローラ３０８は、記録途中（すわわち、全データの書き込みの内の途中の書き込み）かつ判定結果がエラーなしの場合、ステップＳ１１０１に制御は進み、次のデータ記録領域に対するデータの書き込みを開始する。
コントローラ３０８は、記録途中かつ判定結果がライトミスの場合、ステップＳ１１０４に制御は進む。
【００６４】
ステップＳ１１０４において、コントローラ３０８は、データの記録を一旦中止し、今回記録したデータ記録領域に対する今までの再記録動作回数が所定値より多いかどうか判定する。再記録動作回数が所定値未満の場合は、制御はステップＳ１１０５に進み、再記録動作回数が所定値以上の場合は、制御はステップＳ１１０６に進む。
【００６５】
ステップＳ１１０５において、コントローラ３０８は、データを直前に書き込みしたデータ記録領域（前回のライトミス検知用パターンと今回のライトミス検知用パターンとの間のデータ記録領域）にデータを再度書き込む。また、再記録を行った回数をカウントする。再記録の場合には、同期マークにより補正されたライトクロック信号を用いて、記録が行われる。
【００６６】
ステップＳ１１０６において、交代処理を行う。交代処理とは、今回記録したデータ記録領域を使用しないようにして、他のデータ記録領域（例えば、予備領域）に書き込みを行うことである。
【００６７】
第２の実施の形態のライトミス検知方法によれば、記録動作中にライトミスを検知できるので、記録後の再生および検査が不要となり、記録時の転送速度の低下を抑制できる。
【符号の説明】
【００６８】
３０１    磁気ディスク装置
３０２    ディスク
３０３    スピンドルモータ
３０４    ヘッド
３０５    アーム
３０６    ヘッドアンプ
３０７    リードチャネル
３０８    コントローラ
３０９    ＲＡＭ
３１０    ＣＰＵ
３１１    ＶＣＭ
３１２    ＶＣＭドライバ
３２０    ホストコンピュータ
５０１    ライトミス検知器
５０２    位相比較器
５０３    判定器
５０４    ＲＡＭ
５０５    マーク検出器
５０６    ライトクロック生成器
６０１    位相比較器
６０２    ループフィルタ
６０３    ＶＣＯ
６０４    分周器
１００１    ライトミス検知器
１００２    パターン検出器
１００３    判定器
１００４    ＲＡＭ
１００５    マーク検出器
１００６    ライトクロック生成器
【図２】
2010218650.tif 000003
【図３】
2010218650.tif 000004
【図５】
2010218650.tif 000005
【図６】
2010218650.tif 000006
【図７】
2010218650.tif 000007
【図１０】
2010218650.tif 000008
【図１１】
2010218650.tif 000009
【図１】
2010218650.tif 000010
【図４】
2010218650.tif 000011
【図８】
2010218650.tif 000012
【図９】
2010218650.tif 000013